(57)【要約】【課題】少なくとも一部が可撓膜で構成され、燃料の貯留量に応じて容積が増減する燃料タンクにおいて、燃料ポンプの吸い上げ性能の確保と、液面ゲージの指示精度の確保が、燃料タンクの傾いた場合にも可能である燃料タンクを提供する。【解決手段】燃料の貯留量に応じて変形することで容積が増減する燃料タンクＴにおいて、貯留量に応じて変形せず、内部に燃料ポンプ２７を収納するポンプ室３と、少なくとも一部を貯留量に応じて変形する可撓膜１４、１５で構成され、互いに前記ポンプ室３を通じて連通する複数の可変容量室１３ａ、１３ｂとを有する。【選択図】図４
2007177761.tif 000002
【特許請求の範囲】
【請求項１】
燃料の貯留量に応じて変形することで容積が増減する燃料タンクにおいて、
前記貯留量に応じて変形せず、内部に燃料ポンプを収納するポンプ室と、
少なくとも一部を前記貯留量に応じて変形する可撓膜で構成され、互いに前記ポンプ室を通じて連通する複数の可変容量室とを有することを特徴とする燃料タンク。
【請求項２】
２つの前記可変容量室が、前記ポンプ室を挟んで対向して配置されることを特徴とする請求項１に記載の燃料タンク。
【請求項３】
前記ポンプ室が、前記燃料タンクの平面視での長辺方向の中央に設けられていることを特徴とする請求項１又は請求項２に記載の燃料タンク。
【請求項４】
前記ポンプ室の変形を抑える変形防止手段を備えていることを特徴とする請求項１乃至請求項３のいずれか１項に記載の燃料タンク。
【発明の詳細な説明】
【技術分野】
【０００１】
本発明は、燃料の貯留量に応じて変形することで容積が増減する燃料タンクに関する。
【背景技術】
【０００２】
燃料タンクにおいては、燃料の供給の際に、燃料タンク内に発生している燃料蒸気が外気中に放出されるのを防止するために、キャニスタ内の活性炭に燃料蒸気を吸着させている。燃料蒸気の発生量が多いとキャニスタの容量を大きくしなければならず、キャニスタの容量を小さくするためには、燃料蒸気の発生量をできるだけ小さくする必要がある。燃料蒸気は燃料タンク内の燃料の上部空間に発生し満たされている。したがって、燃料蒸気の発生量を少なくするには、燃料タンク内の燃料の上部空間の容積をできるだけ小さくすることが必要になる。
【０００３】
そこで、燃料タンク収容容器の内部に、上部空間を小さくするために一部が伸縮膜で構成された燃料タンクと、その燃料タンクの外側に位置するポンプ室とを設け、ポンプ室に設けた燃料ポンプで燃料タンクの内部の燃料をエンジンに供給する燃料タンクが提案されている（例えば、特許文献１参照）。
【特許文献１】特許第３３６２５４０号公報（段落０００９〜００１２、図１）
【発明の開示】
【発明が解決しようとする課題】
【０００４】
しかしながら、従来技術においては、燃料タンクの容積の増減を阻害しないために、ポンプ室を別置きにしているので、ポンプ室に置かれる燃料ポンプは燃料タンクの中心から離れたところに配置されることになり、燃料ポンプの吸い上げ性能の確保が燃料タンクの傾いた場合に特に困難であった。また、液面ゲージもポンプ室に置かれるが、燃料タンクの中心から離れたところに配置されることになり、指示精度の確保が燃料タンクの傾いた場合に特に困難であった。
【０００５】
そこで、少なくとも一部を可撓膜で構成した燃料貯留部の内部に燃料ポンプや液面ゲージを収納して構造を簡素化することが考えられるが、そのようにすると燃料の貯留量の増減に応じて燃料タンクの容積が増減したときに、燃料タンクと内部の燃料ポンプと液面ゲージとが干渉して機能を阻害する可能性があった。
【０００６】
本発明の目的は、少なくとも一部が可撓膜で構成され、燃料の貯留量に応じて容積が増減する燃料タンクにおいて、燃料ポンプの吸い上げ性能の確保と、液面ゲージの指示精度の確保が、燃料タンクの傾いた場合にも可能である燃料タンクを提供することにある。
【課題を解決するための手段】
【０００７】
前記課題を解決するために本発明は、燃料の貯留量に応じて変形することで容積が増減する燃料タンクにおいて、貯留量に応じて変形せず、内部に燃料ポンプを収納するポンプ室と、少なくとも一部を貯留量に応じて変形する可撓膜で構成され、互いに前記ポンプ室を通じて連通する複数の可変容量室とを有することを特徴とする。このことによれば、燃料の貯留量の増減を、複数の可変容量室の容積変化により吸収し、燃料の貯留量の増減の影響がポンプ室の容積の増減に及ぶのを防止することができる。したがって、ポンプ室の内部に収納した燃料ポンプが燃料の貯留量の増減の影響を受け難くなり、確実な燃料の供給が可能になる。また、ポンプ室の周囲に複数の可変容量室を配置できるので、等価的に、ポンプ室を燃料タンクの中央よりに配置でき、燃料ポンプの吸い上げ性能の確保と、液面ゲージの指示精度の確保が、燃料タンクの傾いた場合にも可能である。
【０００８】
また、本発明では、２つの可変容量室が、ポンプ室を挟んで対向して配置されることが好ましい。このことによれば、ポンプ室を燃料タンクの中央に配置できるので、燃料ポンプの吸い上げ性能の確保と、液面ゲージの指示精度の確保が、燃料タンクの傾いた場合にも可能である。
【０００９】
本発明では、ポンプ室が、燃料タンクの平面視での長辺方向の中央に設けられていることが好ましい。このことによっても、ポンプ室を燃料タンクの中央に配置できる。
【００１０】
本発明では、ポンプ室の変形を抑える変形防止手段を備えていることが好ましい。このことによれば、ポンプ室の変形を一層確実に防止することができる。この変形防止手段は、ポンプ室の上面と下面の内方へのへこみを抑えるハウジングを具備することが好ましい。このことによれば、ポンプ室の上面と下面の変形を一層確実に防止することができる。また、変形防止手段は、ポンプ室の上面と下面の外方への膨らみを抑える支持パイプを具備することが好ましい。このことによっても、ポンプ室の上面と下面の変形を一層確実に防止することができる。さらに、変形防止手段は、ポンプ室の下面の外方への膨らみを抑える支持板を具備することが好ましい。このことによっても、ポンプ室の下面の変形を一層確実に防止することができる。
【００１１】
本発明では、ポンプ室と複数の可変容量室が一体成型されていることが好ましい。燃料の消費と充填により繰り返される燃料タンクの容量の変動があっても、燃料タンクにつなぎ目が無いので燃料が漏れにくい。
本発明では、ポンプ室に液面ゲージを収納したことが好ましい。このことによれば、燃料の貯留量に応じて変化する燃料液面を精度良く検出することができる。
【００１２】
本発明では、複数の可変容量室の上面はポンプ室側が高くなるように傾斜していることが好ましい。このことによれば、複数の可変容量室の上部に溜まった燃料蒸気をポンプ室側に移動させて排気することができる。また、本発明では、複数の可変容量室の下面はポンプ室側が低くなるように傾斜していることが好ましい。このことによれば、残り僅かになった燃料を最後までポンプ室側に供給することができる。
【発明の効果】
【００１３】
本発明によれば、少なくとも一部が可撓膜で構成され、燃料の貯留量に応じて容積が増減する燃料タンクにおいて、燃料ポンプの吸い上げ性能の確保と、液面ゲージの指示精度の確保が、燃料タンクが傾いた場合にも可能である燃料タンクを提供できる。
【発明を実施するための最良の形態】
【００１４】
以下、本発明の実施の形態を、図面を参照しながら詳細に説明する。
図１乃至図４に示すように、本発明の実施の形態に係る燃料タンクＴは、燃料貯留室２と、パイプフレーム５と、プロテクタ１２で構成される。燃料貯留室２は、ポンプ室３と、第１の可変容量室１３ａと、第２の可変容量室１３ｂとを有している。ポンプ室３には、ポンプ室３の変形を抑える変形防止手段２５が収納されている。パイプフレーム５は、ポンプ室３の変形を抑える変形防止手段３８、５２ａ、５２ｂ、５７ａ、５７ｂを有している。
変形防止手段２５は、燃料ポンプモジュール２４を構成するハウジング２５として機能している。変形防止手段３８は、ポンプ室３を支持する支持板３８として機能している。変形防止手段５２ａ、５２ｂ、５７ａ、５７ｂは、ポンプ室３を支持する支持パイプ５２ａ、５２ｂ、５７ａ、５７ｂとして機能している。支持パイプ５２ａ、５２ｂは、金属パイプ製であり、ポンプ室３、第１の可変容量室１３ａと第２の可変容量室１３ｂの上に設けられている。支持パイプ５７ａ、５７ｂは、金属パイプ製であり、ポンプ室３、第１の可変容量室１３ａと第２の可変容量室１３ｂの下に設けられている。
【００１５】
ポンプ室３、第１の可変容量室１３ａと第２の可変容量室１３ｂは、上部可撓膜１４と下部可撓膜１５を袋状にブロー成形することにより、一体の燃料貯留室２を構成する。ポンプ室３は、支持パイプ５２ａと５７ａを含む面により、第１の可変容量室１３ａと区画されており、ポンプ室３と第１の可変容量室１３ａとは、相互に連通している。また、ポンプ室３は、支持パイプ５２ｂと５７ｂを含む面により、第２の可変容量室１３ｂと区画されており、ポンプ室３と第２の可変容量室１３ｂとは、相互に連通している。ポンプ室３は、燃料ポンプモジュール２４と、給油ポート７を収納している。
【００１６】
図４に示すように、ポンプ室３の上部には円形の開口１４ｂが形成されており、その開口１４ｂの周囲に形成されたねじ１４ｃにキャップ２２が螺合する。このとき、開口１４ｂの上面とキャップ２２の下面との間にシール部材２１を介して円板状の蓋板２３が挟まれて固定されることで、燃料タンクＴの気密性が保たれる。この蓋板２３の下面に燃料ポンプモジュール２４が固定されている。燃料ポンプモジュール２４は、一部に開口６０を有するハウジング２５と、ハウジング２５の内部にステー２６を介して支持された燃料ポンプ２７と、燃料ポンプ２７から蓋板２３を貫通して外部に延びるフィードパイプ２８と、フィードパイプ２８の途中に設けられたプレッシャーレギュレータ２９と、プレッシャーレギュレータ２９から余剰の燃料をポンプ室３内に排出するリターンパイプ３０と、ハウジング２５の内部に固定された液面ゲージ３１と、燃料の液面の高さに追従して液面ゲージ３１を作動させるフロート３２とを備える。また、ハウジング２５の上面には燃料の液面の高さが上限値に達すると閉弁するカット弁３３が設けられており、このカット弁３３から延びる蒸気排出パイプ３４が、給油ポート７に連なる図示せぬフィラーチューブの上端の給油口の近傍に接続される。また、蒸気排出パイプ３４は分岐して図示せぬキャニスタに接続される。
【００１７】
ハウジング２５は開口１４ｂを通過可能な寸法を有しているため、キャップ２２を取り外せば蓋板２３と一体の燃料ポンプモジュール２４を開口１４ｂを通して抜き取ることができ、燃料ポンプモジュール２４のメンテナンス性が大幅に向上する。
【００１８】
燃料が減少し、ポンプ室３の容積が減少しようとする際に、ポンプ室３の上面の上部可撓膜１４は下に下がろうとし、下面の下部可撓膜１５は上に上がろうとする。いわゆる、上部可撓膜１４と下部可撓膜１５はポンプ室３の内方へへこもうとする。ハウジング２５は、上部可撓膜１４と下部可撓膜１５の間隔が、ハウジング２５の高さで一定になるように、ポンプ室３の内方へのへこみを抑えている。このため、ハウジング２５の底面は下部可撓膜１５に当接している。また、ハウジング２５の上面の周辺の近傍に、上部可撓膜１４の開口１４ｂが固定されている。ポンプ室３の上部可撓膜１４は、燃料が増加し、ポンプ室３の容積が増加しようとする際に、上に上がろうとするが、ハウジング２５の上面と上部可撓膜１４とは固定されているので、ポンプ室３の上部可撓膜１４は変形しない。
【００１９】
ポンプ室３の下部可撓膜１５も、燃料が増加し、ポンプ室３の容積が増加しようとする際に、下に下がりポンプ室３の下面の外方へ膨らもうとするが、支持板３８の上面が下部可撓膜１５の下面に当接しているので、下部可撓膜１５が変形して下に下がることはない。支持板３８は、下部可撓膜１５を介してハウジング２５の下面と対向するように配置され、ポンプ室３の下面の外方への膨らみを抑えている。
【００２０】
燃料が増加し、ポンプ室３の容積が増加しようとする際に、ポンプ室３の上面の上部可撓膜１４は上昇し外方へ膨らもうとする。支持パイプ５２ａと５２ｂは、上部可撓膜１４に当接し、この上昇を抑えている。また、燃料が増加し、ポンプ室３の容積が増加しようとする際に、ポンプ室３の下面の下部可撓膜１５は降下し外方へ膨らもうとする。支持パイプ５７ａと５７ｂは、下部可撓膜１５に当接し、この降下を抑えている。このように、支持パイプ５２ａ、５２ｂ、５７ａ、５７ｂは、ポンプ室３の上面と下面の外方への膨らみを抑えている。支持パイプ５２ａ、５７ａが均一に上部可撓膜１４および下部可撓膜１５を押さえるように、支持パイプ５２ａと支持パイプ５７ａとは固定される。支持パイプ５２ｂ、５７ｂが均一に上部可撓膜１４および下部可撓膜１５を押さえるように、支持パイプ５２ａと支持パイプ５７ａとは固定される。また、ポンプ室３の上部可撓膜１４および下部可撓膜１５が変位しないように、支持パイプ５２ａ、５２ｂ、５７ａ、５７ｂは燃料ポンプモジュール２４の近傍に配置されている。
【００２１】
支持パイプ５２ａ、５２ｂ、５７ａ、５７ｂが上部可撓膜１４および下部可撓膜１５に当接することにより、上部可撓膜１４および下部可撓膜１５には、溝状に凹んだ括れ部１４ａ、１５ａが形成される。支持パイプ５２ａ、５２ｂ、５７ａ、５７ｂが、燃料の増減に対して変位しないように固定されていれば、括れ部１４ａ、１５ａも燃料の増減に対して変位しないので、括れ部１４ａと括れ部１５ａの間隔が広がりポンプ室３の形状が変化するのを防止できる。
【００２２】
以上のように、ポンプ室３は、変形防止手段である２５、３８、５２ａ、５２ｂ、５７ａ、５７ｂにより、貯留量に応じて変形しない。このため、その内部に収納された燃料ポンプ２７、液面ゲージ３１、カット弁３３が上部可撓膜１４および下部可撓膜１５と干渉することがなく、燃料ポンプ２７、液面ゲージ３１、カット弁３３等の機能が阻害される虞がない。
【００２３】
第１の可変容量室１３ａは、ポンプ室３内に連通している。第１の可変容量室１３ａは、少なくとも一部を貯留量に応じて変形する上部可撓膜１４と下部可撓膜１５で構成されている。第２の可変容量室１３ｂも、ポンプ室３内に連通し、ポンプ室３を通じて第１の可変容量室１３ａに連通している。第２の可変容量室１３ｂは、第１の可変容量室１３ａから離れている。第２の可変容量室１３ｂは、少なくとも一部を貯留量に応じて変形する上部可撓膜１４と下部可撓膜１５で構成されている。上部可撓膜１４と下部可撓膜１５が変形することにより、燃料タンクＴは、燃料の貯留量に応じて変形し、容積が増減する。第１の可変容量室１３ａと第２の可変容量室１３ｂが、ポンプ室３を挟んで対向するように配置されている。ポンプ室３が、燃料タンクＴの平面視での長辺方向の中央に設けられている。第１の可変容量室１３ａと第２の可変容量室１３ｂの上部可撓膜１４も含めた上面は、ポンプ室３側が高くなるように傾斜している。第１の可変容量室１３ａと第２の可変容量室１３ｂの下部可撓膜１５も含めた下面は、前記ポンプ室３側が低くなるように傾斜している。
【００２４】
図１、図２と図３に示すように、パイプフレーム５は、支持パイプ５２ａ、５２ｂ、５７ａ、５７ｂの他に、金属パイプ製の外周パイプ４７ａ、４７ｂ、４８ａ、４８ｂと、金属パイプ製の下部支持フレーム１１と、接続部６２と、支持板３８と、支持板６１とを有している。外周パイプ４７ａ、４７ｂは、プロテクタ１２と下部支持フレーム１１とともに燃料貯留室２の下面の外周部を保護している。外周パイプ４７ａは、支持パイプ５７ａに溶接にて固定されている。外周パイプ４７ｂは、支持パイプ５７ｂに溶接にて固定されている。外周パイプ４８ａ、４８ｂは、燃料貯留室２の上面の外周部を保護している。外周パイプ４８ａは、支持パイプ５２ａに溶接にて固定されている。外周パイプ４８ｂは、支持パイプ５２ｂに溶接にて固定されている。接続部６２は、一端を支持パイプ５２ａに溶接にて固定され、他端を支持パイプ５２ｂに溶接にて固定され、支持パイプ５２ａと支持パイプ５２ｂの間隔を一定に保っている。支持板６１は、両端を下部支持フレーム１１に溶接にて固定され、支持板３８の台座となり、支持板３８を接着により固定している。下部支持フレーム１１は、燃料タンクＴ全体を保持している。プロテクタ１２は、金属板をプレス加工した皿状の形状をしており、燃料貯留室２を外界から守っている。下部支持フレーム１１には、プロテクタ１２、支持パイプ５７ａ、５７ｂ、外周パイプ４７ａ、４７ｂ、支持板６１、燃料貯留室２が固定されている。そして、外周パイプ４７ａ、４７ｂに外周パイプ４８ａ、４８ｂが固定されている。
図５に示すように、外周パイプ４８ａ、４８ｂは４個の取付ブラケット５１を備えている。外周パイプ４７ａ、４７ｂは４個の取付ブラケット５４を備えている。下部支持フレーム１１は、４個のタンク支持部５３と、４個の取付ブラケット５５と、支持パイプ５７ａ、５７ｂとを固定する複数個の接続部５６と、外周パイプ４７ａ、４７ｂとを固定する複数個の接続部５６とを備えている。そして、外周パイプ４８ａ、４８ｂの４個の取付ブラケット５１と外周パイプ４７ａ、４７ｂの４個の取付ブラケット５４とがボルト５８とナット６３で締結されている。下部支持フレーム１１の４個の取付ブラケット５５とプロテクタ１２とがボルト６９とナット５９で締結されている。接続部５６は、一端を下部支持フレーム１１に溶接にて固定され、他端を支持パイプ５７ａ、５７ｂまたは外周パイプ４７ａ、４７ｂに溶接にて固定されている。燃料貯留室２の四隅のフランジ１６を下部支持フレーム１１の４個のタンク支持部５３に、支持パイプ５２ａ、５２ｂと支持パイプ５７ａ、５７ｂの間の高さになるように、ボルト１９およびナット２０で締結している。以上により、支持パイプ５２ａ、５２ｂと、支持パイプ５７ａ、５７ｂの間に燃料貯留室２が支持されることになる。
【００２５】
図６に示すように、上部可撓膜１４と下部可撓膜１５は、外側から内側に向けてポリエチレン樹脂層４１、再生層４２、接着剤層４３、エチレン・ビニルアルコール共重合樹脂層４４、接着剤層４５およびポリエチレン層４６の６層を順に積層して構成されている。エチレン・ビニルアルコール共重合樹脂層４４によって燃料蒸気の透過量を最小限に抑えることができる。なお、再生層４２には、燃料貯留室２をブロー成形する工程において生じたバリを再使用している。よって、再生層４２は、ポリエチレン樹脂とエチレン・ビニルアルコール共重合樹脂を含んでいる。
【００２６】
図７（ａ）に示すように、実施の形態によれば、ポンプ室３を燃料タンクＴの中央に配置しており、図７（ｂ）のように燃料が少ない場合でも、図７（ｃ）のように燃料が多い場合でも、ポンプ室３の容積は変動しない。なお、図７（ｂ）と図７（ｃ）とは、図３に対して、上下方向を強調して記載している。一方、第１および第２の可変容量室１３ａと１３ｂは、フランジ１６によって端部の位置が固定されており、ポンプ室３側の端面は変形防止手段２５、３８、５２ａ、５２ｂ、５７ａ、５７ｂによって固定されているので、図７（ｂ）のように燃料が少ない場合は、上面の上部可撓膜１４が下がって凹み、下面の下部可撓膜１５が上がって凹む。また、図７（ｃ）のように燃料が多い場合は、上面の上部可撓膜１４が上がって膨らみ、下面の下部可撓膜１５が下がって膨らむ。このことによれば、燃料タンクＴ内に溜まる燃料蒸気の容積を僅かにすることができるので、キャニスタの容量を小型化しても燃料蒸気が給油時に大気に放散するのを最小限に抑えることができる。
【００２７】
図３に示すように、フランジ１６の高さを、支持パイプ５２ａ、５２ｂと支持パイプ５７ａ、５７ｂの間の高さになるように配置しているので、第１および第２の可変容量室１３ａと１３ｂの上部可撓膜１４はポンプ室３側が高くなるように傾斜し、図７の（ｂ）から（ｃ）へ燃料を充填していく際に、第１および第２の可変容量室１３ａと１３ｂの上部に溜まった燃料蒸気をポンプ室３側に移動させて蒸気排出パイプ３４から確実に排出することができる。
【００２８】
同様に、フランジ１６の高さを、支持パイプ５２ａ、５２ｂと支持パイプ５７ａ、５７ｂの間の高さになるように配置しているので、第１および第２の可変容量室１３ａと１３ｂの下部可撓膜１５はポンプ室３側が低くなるように傾斜し、図７の（ｃ）から（ｂ）へ燃料が減少し、残量が僅かになっても最後までポンプ室３側に供給して燃料ポンプ２７で汲み上げることができる。
【００２９】
ここで、燃料タンクＴが傾いた場合を考える。例えば、第１の可変容量室１３ａが第２の可変容量室１３ｂより低くなったとする。このことにより、可変容量室１３ｂ内の燃料は空になり、その分の燃料が第１の可変容量室１３ａとポンプ室３に移動する。このように、傾いても、ポンプ室３の燃料の深さが一律に浅くなるわけでなく、可変容量室１３ｂ内の燃料がポンプ室３に容易に流入してくるので、ポンプ室３の燃料を深く保つことができる。また、この傾いた状態で燃料を消費すると、第１の可変容量室１３ａの下部可撓膜１５の傾斜により、第１の可変容量室１３ａ内の燃料はポンプ室３に移動し、最後の燃料まで利用することができる。このように、燃料タンクＴの傾いた場合にも燃料ポンプ２７の吸い上げ性能を確保することができる。そして、このような、最後の燃料まで利用できるところに液面ゲージ３１を配置すれば、この最後の燃料の有無を計測できるので、燃料タンクＴの傾いた場合にも液面ゲージ３１の指示精度を確保することができる。
【００３０】
また、ポンプ室３を燃料タンクＴの中央に配置することにより、第１の可変容量室１３ａと第２の可変容量室１３ｂの図７（ａ）のような平面視からの面積のわりに、大きな容積を確保することができる。これは、上部可撓膜１４と下部可撓膜１５とは傾いており、ポンプ室３から離れるほど上部可撓膜１４と下部可撓膜１５の間隔が狭くなっているので、ポンプ室３から離れるほど多くの燃料を貯留できないことによる。したがって、たとえとして、平面視からの面積が同じように、第２の可変容量室１３ｂを省いて、第１の可変容量室１３ａを面積２倍にしても容積は２倍未満にしかならない。このように、ポンプ室３を中央に配置し、その周囲に複数の可変容量室、すなわち第１の可変容量室１３ａと第２の可変容量室１３ｂを配置することにより、同一面積でより多くの容積を確保することができる。なお、平面視からの面積が同じように、第２の可変容量室１３ｂを省いて、第１の可変容量室１３ａを面積２倍にした場合に、上部可撓膜１４と下部可撓膜１５の傾きを緩くすれば、第１の可変容量室１３ａの容積は２倍にできるが、傾いていることによる燃料と燃料蒸気をポンプ室３に供給する能力が低下してしまう。逆に、実施の形態によれば、先に述べたたとえと同じ平面視からの面積で、平面視での縦横比が大きくても、大きな容積が確保でき、燃料と燃料蒸気の供給が容易である。
【００３１】
また、第１および第２の可変容量室１３ａ、１３ｂとポンプ室３とを一体に形成しているので部品点数の削減や組付工数の削減に寄与することができる。
【００３２】
以上、本発明の実施の形態を説明したが、本発明はその要旨を逸脱しない範囲で種々の設計変更を行うことが可能である。例えぱ、実施の形態では自動車用の燃料タンクＴを例示したが、本発明の燃料タンクＴは他の任意の用途の燃料タンクに適用することができる。
【図面の簡単な説明】
【００３３】
【図１】本発明の実施の形態に係る燃料タンクの斜視図である。
【図２】本発明の実施の形態に係る燃料タンクの上面図である。
【図３】本発明の実施の形態に係る燃料タンクの、金属板１２を透視した側面図である。
【図４】本発明の実施の形態に係る燃料タンクの燃料ポンプモジュールとその周辺の図２のＩＶ−ＩＶ方向の断面図である。
【図５】本発明の実施の形態に係る燃料タンクの分解斜視図である。
【図６】本発明の実施の形態に係る燃料タンクの可撓膜の断面図である。
【図７】（ａ）は、本発明の実施の形態に係る燃料タンクの上面図であり、（ｂ）は、容量が減少した状態の燃料タンクの（ａ）のＶＩ−ＶＩ方向の断面図であり、（ｃ）は、容量が増加した状態の燃料タンクの（ａ）のＶＩ−ＶＩ方向の断面図である。
【符号の説明】
【００３４】
３      ポンプ室
１３ａ、１３ｂ  可変容量室
１４、１５    可撓膜
２５    ハウジング
２７    燃料ポンプ
３１    液面ゲージ
３８    支持板
５２ａ、５２ｂ  支持パイプ
５７ａ、５７ｂ  支持パイプ
【図１】
2007177761.tif 000003
【図２】
2007177761.tif 000004
【図３】
2007177761.tif 000005
【図４】
2007177761.tif 000006
【図５】
2007177761.tif 000007
【図６】
2007177761.tif 000008
【図７】
2007177761.tif 000009